(57)【要約】【課題】マルチメディアコンテンツを生成する際や、他人が生成したコンテンツを編集して編集コンテンツを生成する際に、著作権を追跡及び保護可能とするコンテンツの著作情報追跡システム及びその制御方法を提供すること。【解決手段】コンテンツの著作情報追跡システムは、コンテンツを保存するコンテンツＤＢと、前記コンテンツのキーワード及び著作情報を保存するインデックスファイルＤＢと、前記著作情報の継承内訳及び取引内訳を保存する取引内訳ＤＢと、使用者のコンピュータへ前記コンテンツＤＢに保存された前記コンテンツを提供し、アップロードされた前記コンテンツに対する著作情報を前記インデックスファイルＤＢに保存し、前記コンテンツの編集により生成された編集コンテンツに対して上位著作情報を継承して生成した新規著作情報を前記インデックスファイルＤＢに保存するサービスサーバーと、を含む。【選択図】図２
2009054155.tif 000002
【特許請求の範囲】
【請求項１】
マルチメディアコンテンツを保存するためのコンテンツＤＢと、
前記コンテンツＤＢのキーワード検索のためのインデックス及び新規または継承された著作権情報が含まれるインデックスファイルを保存するためのインデックスファイルＤＢと、
前記マルチメディアコンテンツの取引による前記著作権の継承内訳及び取引内訳を保存するための取引内訳ＤＢと、
インターネットを通して接続された使用者のコンピュータに、前記コンテンツＤＢに保存された前記マルチメディアコンテンツのストリーミングやダウンロードを支援するだけでなく、アップロードされた前記マルチメディアコンテンツに対する前記著作権が含まれた前記インデックスファイルを生成して前記インデックスファイルＤＢに保存し、前記コンテンツＤＢに保存された前記マルチメディアコンテンツの編集を支援し、生成された編集コンテンツに対する上位著作権の継承によって新規著作権を含むインデックスファイルを生成して前記インデックスファイルＤＢに保存するためのサービスサーバーと、
を含んで構成されたことを特徴とするコンテンツの著作情報追跡システム。
【請求項２】
前記インデックスファイルは、前記マルチメディアコンテンツの著作情報及び前記コンテンツに対して特定区間を人、事物、時間及び空間側面で分析して抽出したキーワードを含み、特定区間に対する開始時間と終了時間を含み、著作権追跡のために自分のコンテンツアクションＩＤと、再編集したマルチメディアコンテンツのコンテンツアクションＩＤである参照アクションＩＤと、再編集したマルチメディアコンテンツの最上位参照コンテンツアクションＩＤである最上位アクションＩＤと、を含むことを特徴とする請求項１に記載のコンテンツの著作情報追跡システム。
【請求項３】
前記インデックスファイルは、価格情報をさらに含んで構成されたことを特徴とする請求項２に記載のコンテンツの著作情報追跡システム。
【請求項４】
インターネットを通して使用者のコンピュータが接続される場合、ログイン手順を遂行する段階と、
前記ログイン手順を遂行した後、コンテンツの購買可否を確認する段階と、 
購買する場合、索引語の入力を受けてインデックスＤＢのインデックスファイルを検索し、コンテンツを検索する段階と、
検索された前記コンテンツを選択して決済を遂行する段階と、
決済が遂行される場合、前記インデックスファイルに含まれた著作情報に基づいて著作権を有する著作者を追跡し、前記著作者に販売に対する通知をし、購買されたコンテンツを購買者の保管トレイに保存する段階と、
新規に登録すると判断される場合、アップロードされたコンテンツに対するインデックスファイルを生成する段階と、
生成された前記インデックスファイルに検索語及び新規著作権の入力を受けて記録し、前記アップロードされた前記コンテンツ及び前記インデックスファイルを前記コンテンツＤＢとインデックスファイルＤＢに保存する段階と、
編集する場合、前記購買者の保管トレイに保存されたコンテンツの編集を支援し、生成された編集コンテンツに対するインデックスファイルを生成する段階と、
前記編集コンテンツに対する前記インデックスファイルに参照したコンテンツのインデックスファイルから著作情報を継承し、新規著作権及び検索語の入力を受けて前記編集コンテンツのインデックスファイルに記録し、前記編集コンテンツ及び前記インデックスファイルを前記コンテンツＤＢと前記インデックスファイルＤＢに保存する段階と、
を含んで構成されたことを特徴とするコンテンツの著作情報追跡システムの制御方法。
【請求項５】
前記購買者の保管トレイには、購買したコンテンツ及び自分の生成したコンテンツが保管されることを特徴とする請求項４に記載のコンテンツの著作情報追跡システムの制御方法。
【請求項６】
前記インデックスファイルは、前記マルチメディアコンテンツの著作情報及び前記コンテンツに対して特定区間を人、事物、時間及び空間側面で分析して抽出したキーワードを含み、特定区間に対する開始時間と終了時間を含み、著作権追跡のために自分のコンテンツアクションＩＤと、再編集したマルチメディアコンテンツのコンテンツアクションＩＤである参照アクションＩＤと、再編集したマルチメディアコンテンツの最上位コンテンツアクションＩＤである最上位参照アクションＩＤと、を含むことを特徴とする請求項４に記載のコンテンツの著作情報追跡システムの制御方法。
【請求項７】
前記コンテンツが販売され、著作権によって著作者に販売に対する通知を行う段階で販売代金に対する収益分配が行われることを特徴とする請求項４に記載のコンテンツの著作情報追跡システムの制御方法。
【発明の詳細な説明】
【技術分野】
【０００１】
本発明は、コンテンツの著作情報追跡システム及びその制御方法に関する。より詳細には、マルチメディアコンテンツに対応する人、事物、時間及び空間によるキーワードを通して該当のコンテンツをキーワード検索可能にするインデックスファイルを通してコンテンツを生成したり、他人によって生成されたコンテンツを編集して編集コンテンツを生成するとき、インデックスファイルにコンテンツの著作情報を継承させることで、コンテンツのキーワード検索を可能にするとともに、コンテンツの取引及び編集によって著作情報を継承させることで、著作権を追跡及び保護可能にして収益配分を行うコンテンツの著作情報追跡システム及びその制御方法に関する。
【背景技術】
【０００２】
最近、動画をはじめとするマルチメディアコンテンツは、専門家のみならず、一般人も容易に生成することができ、動画オンラインサービスが急速に発展するにつれて、ＵＣＣ（Ｕｓｅｒ  Ｃｒｅａｔｅ  Ｃｏｎｔｅｎｔｓ：使用者が生成したコンテンツ）普及に対する関心が高まっている。
【０００３】
インターネット上で提供されるマルチメディアコンテンツの取引及び流通は、ファイル単位でダウンロードしたり、一定期間の間ストリーミングして見る方法でなされている。しかし、著作権問題が解決されておらず、このように取引及び流通されたマルチメディアコンテンツに対して音響効果や文字効果を挿入したり、追加的な資料を付け加えることで再編集したり、再編集した区間に新しいコンテンツを追加して新しいマルチメディアコンテンツを流通させることもできるが、原著作者の著作権に対する追跡がなされないので、マルチメディアコンテンツの収益配分が正しく行われず、多くのマルチメディアコンテンツの流通及び取引が活性化されないとともに、不法的な方法によって流通及び取引が行われるという問題点がある。
【発明の開示】
【発明が解決しようとする課題】
【０００４】
本発明は、上記のような問題点を解決するためになされたもので、その目的は、マルチメディアコンテンツに対応する人、事物、時間及び空間によるキーワードを通して該当のコンテンツをキーワード検索可能にするインデックスファイルを通してコンテンツを生成したり、他人によって生成されたコンテンツを編集して編集コンテンツを生成するとき、インデックスファイルにコンテンツの著作情報を継承させることで、コンテンツのキーワード検索を可能にするとともに、コンテンツの取引及び編集によって著作情報を継承させることで、著作権を追跡及び保護可能にして収益配分を行われるようにするコンテンツの著作情報追跡システム及びその制御方法を提供することにある。
【課題を解決するための手段】
【０００５】
上記のような目的を達成するための本発明によるコンテンツの著作情報追跡システムは、マルチメディアコンテンツを保存するためのコンテンツＤＢと、前記コンテンツＤＢのキーワード検索のためのインデックス及び新規または継承された著作権情報が含まれるインデックスファイルを保存するためのインデックスファイルＤＢと、前記マルチメディアコンテンツの取引による前記著作権の継承内訳及び取引内訳を保存するための取引内訳ＤＢと、インターネットを通して接続された使用者のコンピュータに、前記コンテンツＤＢに保存された前記マルチメディアコンテンツのストリーミングやダウンロードを支援するだけでなく、アップロードされた前記マルチメディアコンテンツに対する前記著作権が含まれた前記インデックスファイルを生成して前記インデックスファイルＤＢに保存し、前記コンテンツＤＢに保存された前記マルチメディアコンテンツの編集を支援し、生成された編集コンテンツに対する上位著作権の継承によって新規著作権を含むインデックスファイルを生成して前記インデックスファイルＤＢに保存するためのサービスサーバーと、を含んで構成されたことを特徴とする。
【０００６】
本発明のインデックスファイルは、前記マルチメディアコンテンツの著作情報及び前記コンテンツに対して特定区間を人、事物、時間及び空間側面で分析して抽出したキーワードを含み、特定区間に対する開始時間と終了時間を含み、著作権追跡のために自分のコンテンツアクションＩＤと、再編集したマルチメディアコンテンツのコンテンツアクションＩＤである参照アクションＩＤと、再編集したマルチメディアコンテンツの最上位コンテンツアクションＩＤである最上位参照アクションＩＤとを含むことを特徴とする。
【０００７】
本発明のインデックスファイルは、価格情報をさらに含んで構成されたことを特徴とする。
【０００８】
また、本発明によるコンテンツの著作情報追跡システムの制御方法は、インターネットを通して使用者のコンピュータが接続される場合、ログイン手順を遂行する段階と、前記ログイン手順を遂行した後、コンテンツの購買可否を確認する段階と、 購買する場合、索引語の入力を受けてインデックスＤＢのインデックスファイルを検索しコンテンツを検索する段階と、検索された前記コンテンツを選択して決済を遂行する段階と、決済が遂行される場合、前記インデックスファイルに含まれた著作情報に基づいて著作権を有する著作者を追跡し、前記著作者に販売に対する通知をし、購買されたコンテンツを購買者の保管トレイに保存する段階と、新規に登録すると判断される場合、アップロードされたコンテンツに対するインデックスファイルを生成する段階と、生成された前記インデックスファイルに検索語及び新規著作権の入力を受けて記録し、前記アップロードされた前記コンテンツ及び前記インデックスファイルを前記コンテンツＤＢとインデックスファイルＤＢに保存する段階と、編集する場合、前記購買者の保管トレイに保存されたコンテンツの編集を支援し、生成された編集コンテンツに対するインデックスファイルを生成する段階と、前記編集コンテンツに対する前記インデックスファイルに参照したコンテンツのインデックスファイルから著作情報を継承し、新規著作権及び検索語の入力を受けて前記編集コンテンツのインデックスファイルに記録し、前記編集コンテンツ及び前記インデックスファイルを前記コンテンツＤＢと前記インデックスファイルＤＢに保存する段階とを含んで構成されたことを特徴とする。
【０００９】
本発明の購買者の保管トレイには、購買したコンテンツ及び自分の生成したコンテンツが保管されることを特徴とする。
【００１０】
本発明のインデックスファイルは、前記マルチメディアコンテンツの著作情報及び前記コンテンツに対して特定区間を人、事物、時間及び空間側面で分析して抽出したキーワードを含み、特定区間に対する開始時間と終了時間を含み、著作権追跡のために自分のコンテンツアクションＩＤと、再編集したマルチメディアコンテンツのコンテンツアクションＩＤである参照アクションＩＤと、再編集したマルチメディアコンテンツの最上位コンテンツアクションＩＤである最上位参照アクションＩＤとを含むことを特徴とする。
【００１１】
本発明では、前記コンテンツが販売され、著作権によって著作者に販売に対する通知を行う段階で販売代金に対する収益分配が行われることを特徴とする。
【発明の効果】
【００１２】
本発明は、マルチメディアコンテンツに対応する人、事物、時間及び空間によるキーワードを通して該当のコンテンツをキーワード検索可能にするインデックスファイルを通してコンテンツを生成したり、他人によって生成されたコンテンツを編集して編集コンテンツを生成するとき、インデックスファイルにコンテンツの著作情報を継承させることで、コンテンツのキーワード検索を可能にするとともに、コンテンツの取引及び編集によって著作情報を継承させることで、著作権を追跡及び保護可能にして収益配分を行えるという利点がある。
【発明を実施するための最良の形態】
【００１３】
以下、本発明の望ましい実施例を、添付された図面を参照して説明する。従来の構成と同一の部分には、同一の符号及び名称を使用する。また、本実施例は、本発明の権利範囲を限定するものでなく、例示的に提示されたもので、当分野で通常の知識を有する者であれば、本発明の技術的思想内で多くの変形が可能である。
【００１４】
図１は、本発明によるコンテンツの保存情報追跡システムを示したブロック構成図である。
【００１５】
図１に示したように、マルチメディアコンテンツを保存するためのコンテンツＤＢ２０と、コンテンツＤＢ２０のキーワード検索のためのインデックス及び新規または継承された著作権情報が含まれるインデックスファイルを保存するためのインデックスファイルＤＢ３０と、マルチメディアコンテンツの取引による著作権の継承内訳及び取引内訳を保存するための取引内訳ＤＢ１０と、インターネット５０を通して接続された使用者のコンピュータ６０に、コンテンツＤＢ２０に保存されたマルチメディアコンテンツのストリーミングやダウンロードを支援するだけでなく、アップロードされたマルチメディアコンテンツに対する著作権が含まれたインデックスファイルを生成してインデックスファイルＤＢ３０に保存し、コンテンツＤＢ２０に保存されたマルチメディアコンテンツの編集を支援し、生成された編集コンテンツに対する上位著作権の継承によって新規著作権を含むインデックスファイルを生成してインデックスファイルＤＢ３０に保存するためのサービスサーバー４０とを含んで構成される。
【００１６】
このとき、インデックスファイルは、マルチメディアコンテンツの著作情報及びコンテンツに対して特定区間を人、事物、時間及び空間側面で分析して抽出したキーワードを含み、特定区間に対する開始時間と終了時間を含み、著作権追跡のためにコンテンツの特定区間を示すアクションＩＤと、再編集したマルチメディアコンテンツのコンテンツアクションＩＤである参照アクションＩＤと、再編集したマルチメディアコンテンツの最上位コンテンツアクションＩＤである最上位参照アクションＩＤとを含んで構成され、価格情報をさらに含んで構成される。
【００１７】
したがって、インターネット５０を通して使用者のコンピュータ６０がサービスサーバー４０に接続し、コンテンツＤＢ２０に保存されたマルチメディアコンテンツを購買する場合、マルチメディアコンテンツに対応するインデックスファイルに保存された著作情報によって著作者を追跡し、取引内訳ＤＢ１０の資料を通して販売情報を通知して収益配分を行うようになる。
【００１８】
また、自分の生成したマルチメディアコンテンツを登録する場合、コンテンツに対して著作権が含まれたインデックスファイルを生成してインデックスファイルＤＢ３０に保存するだけでなく、購買したコンテンツや自分の生成したコンテンツを編集可能にする編集機を提供することで、編集コンテンツを生成するように支援し、編集コンテンツのインデックスファイルを生成し、編集に参照したコンテンツの著作情報を継承し、新規に入力された著作情報と検索語の入力を受けてインデックスファイルに保存することで、マルチメディアコンテンツが再編集される場合にも、著作権を継承及び追跡することができる。
【００１９】
以下、上記のように構成された本発明によるコンテンツの著作情報追跡システムの制御方法を、図２に示したフローチャートに基づいて説明する。
【００２０】
まず、インターネット５０を通して使用者のコンピュータ６０が接続される場合、ログイン手順を遂行する（Ｓ１０）。
【００２１】
上記のようにログイン手順を遂行した後、サービスサーバー４０で提供されるコンテンツに対する購買可否を確認するようになる（Ｓ１２）。
【００２２】
すなわち、コンテンツを購買してダウンロードまたはストリーミングによって再生して見るか、自分の生成したマルチメディアコンテンツを新規に登録するか、または、自分の購買したマルチメディアコンテンツ及び自分の生成したマルチメディアコンテンツを編集するかを確認するようになる。
【００２３】
このとき、購買する場合は、コンテンツＤＢ２０に保存されたマルチメディアコンテンツの区間検索のための索引語の入力を受け、自分が望むマルチメディアコンテンツをインデックスファイルＤＢ３０に保存されたインデックスファイルでキーワード検索を遂行し、その検索結果を出力する（Ｓ１４）。
【００２４】
上記のように出力されたマルチメディアコンテンツを選択して購買する場合、決済が行われる。そして、購買が行われた場合、インデックスファイルに含まれた著作情報を通して著作者を追跡し、取引内訳ＤＢ１０の資料を通して著作者に取引内訳を通知するだけでなく、継承内訳などに基づいて収益配分が行われる（Ｓ１６、Ｓ１８、Ｓ２０）。
【００２５】
また、上記のような方法によって購買されたマルチメディアコンテンツが購買者の保管トレイに保存されることで、購買者は、一定期間の間ダウンロード及びストリーミングサービスを受けられるとともに、再編集を遂行することができる（Ｓ２２）。
【００２６】
一方、自分の生成したマルチメディアコンテンツを新規に登録し販売したり、サービスしようとする場合、マルチメディアコンテンツをアップロードすることになる（Ｓ２４、Ｓ２６）。
【００２７】
上記のようにマルチメディアコンテンツがアップロードされる場合、インデックスファイルを生成する。そのインデックスファイルは、著作情報及びマルチメディアコンテンツに対して特定区間を人、事物、時間及び空間側面で分析して抽出したキーワードを含み、特定区間に対する開始時間と終了時間を含み、著作権追跡のために自分のコンテンツアクションＩＤと、再編集したマルチメディアコンテンツのコンテンツアクションＩＤである参照アクションＩＤと、再編集したマルチメディアコンテンツの最上位コンテンツアクションＩＤである最上位参照アクションＩＤとを含む（Ｓ２８）。
【００２８】
すなわち、図３に示したように、原本マルチメディアコンテンツのアクション情報に対してｒｏｏｔ．ｓｍａのインデックスファイルを生成するようになり、該当のアクションのアクションＩＤが与えられる。
【００２９】
このとき、アクションＡには、アクションＩＤ‘１０００’が与えられ、アクションＢには、アクションＩＤ‘１００５'が与えられる。また、表１に示したように、アクションＩＤ（ａ＿ｉｄ）‘１０００'は、原本コンテンツとして参照するコンテンツがないので、参照アクションＩＤ（ａ＿ｒｅｆｉｄ）及び最上位参照アクションＩＤ（ａ＿ｒｏｏｔｉｄ）には、何らの値も与えられない。
【００３０】
【表１】
2009054155.tif 000003
【００３１】
以上のように生成されたインデックスファイル及びコンテンツは、インデックスファイルＤＢ３０とコンテンツＤＢ２０に保存される（Ｓ３０、Ｓ３２）。
【００３２】
そして、上記で購買可否を確認し、自分の購買したマルチメディアコンテンツ及び自分の生成したマルチメディアコンテンツを編集するかどうかを確認した場合、購買者が購買した保管トレイのマルチメディアコンテンツ及び自分の生成したマルチメディアコンテンツを用いてコンテンツの再編集を遂行する（Ｓ３４）。
【００３３】
上記のように再編集して編集コンテンツが生成されると、これに対応するインデックスファイルを生成するようになる（Ｓ３６）。
【００３４】
このとき、インデックスファイルには、再編集されたマルチメディアコンテンツの著作情報を継承及び追跡可能な参照アクションＩＤ及び最上位参照アクションＩＤが含まれる（Ｓ３８）。
【００３５】
すなわち、図４に示したように、アクションＥＥを生成するためにアクションＡＡを再編集する場合、アクションＡＡは、アクションＡを編集したコンテンツで、アクションＥＥを生成するために参照したコンテンツは、アクションＡＡとアクションＡで、アクションＥＥの参照アクションはアクションＡＡで、最上位参照アクションはアクションＡである。
【００３６】
したがって、アクションＥＥを生成することで、ｓｅｃｏｎｄ．ｓｍａというインデックスファイルを生成するようになり、ｓｅｃｏｎｄ．ｓｍａインデックスファイルは、ｆｉｒｓｔ．ｓｍａインデックスファイルからアクションＡＡの著作情報を継承するようになる。また、ｆｉｒｓｔ．ｓｍａインデックスファイルは、ｒｏｏｔ．ｓｍａインデックスファイルからアクションＡの著作情報を継承するようになる。
【００３７】
表２は、ｓｅｃｏｎｄ．ｓｍａインデックスファイルの継承関係を示したもので、表２に示すように、アクションＩＤ（ａ＿ｉｄ）には、アクションＥＥのアクションＩＤ‘３０００’が保存され、参照アクションＩＤ（ａ＿ｒｅｆｉｄ）には、アクションＡＡのアクションＩＤ‘２０００’が保存され、最上位参照アクションＩＤ（ａ＿ｒｏｏｔｉｄ）には、アクションＡのアクションＩＤ‘１０００’が保存される。その結果、アクションＥＥであるコンテンツに対する著作情報によって著作権を追跡できるようになる。
【００３８】
【表２】
2009054155.tif 000004
【００３９】
上記のように生成されたインデックスファイル及びコンテンツは、インデックスファイルＤＢ３０とコンテンツＤＢ２０に保存される（Ｓ３２）。
【００４０】
以上のようにすべてのアクションに対して固有のアクションＩＤを持たせ、このアクションＩＤを参照してアクション情報の継承及び追跡を通して著作権を追跡することで、アクションの編集や再編集が行われる場合にも、原作者の著作権を保護することができる。その結果、原作の価値を高めるとともに、収益を再分配することで、流通が活性化されるようになる。
【００４１】
例えば、図５に示したように、原本アクションＡを編集してアクションＢを生成し、アクションＢを再編集してアクションＣを生成した場合、それぞれの販売価格に対する収益は、次のように分配することができる。ここで、編集や再編集時、編集または再編集アクションと原本アクションとの所定特性（大きさや量など）の比率によって、編集または再編集アクションの収益配分比率が自動的に決定される。
【００４２】
もし、販売する価格のうち、収益に対してサービスサーバーを運営する主体とコンテンツを製作して販売する販売者との収益配分が５：５である場合、原本アクションＡを１００ウォンで販売したとき、最初に生成された原本の販売の金額全てを収益とみて、５０ウォンを運営主体に支払い、販売者が５０ウォンを 持つことになる。
【００４３】
また、編集されたアクションＢの場合、２００ウォンで販売される場合、アクションＡを購買して編集したもので、収益金額は１００ウォンになり、この収益金額は、運営主体と販売者にそれぞれ５０ウォンずつ配分される。
【００４４】
また、再編集されたアクションＣの場合、５００ウォンで販売されるとき、アクションＡとアクションＢに対する購入金額が含まれるので、収益金額は２００ウォンになり、運営主体と販売者にそれぞれ１００ウォンずつ配分される。
【００４５】
上記のような収益方法は、保存情報の追跡によって販売金額から収益金額を計算して配分する実施例として設定したもので、その配分率は、取引量及び運営方式によって決定される。
【図面の簡単な説明】
【００４６】
【図１】本発明によるコンテンツの著作情報追跡システムを示したブロック構成図である。
【図２】本発明によるコンテンツの著作情報追跡システムの制御方法を説明するためのフローチャートである。
【図３】本発明によるコンテンツの著作情報追跡のための過程を説明するための図である。
【図４】本発明によるコンテンツの著作情報追跡のための過程を説明するための図である。
【図５】本発明によるコンテンツの著作情報追跡システムを用いた収益分配を説明するための図である。
【符号の説明】
【００４７】
１０  取引内訳ＤＢ
２０  コンテンツＤＢ
３０  インデックスファイルＤＢ
４０  サービスサーバー
５０  インターネット
６０  使用者のコンピュータ
【図１】
2009054155.tif 000005
【図２】
2009054155.tif 000006
【図３】
2009054155.tif 000007
【図４】
2009054155.tif 000008
【図５】
2009054155.tif 000009